(57)【特許請求の範囲】
【請求項１】
人がいるか否かを検出する人感センサと、
前記人感センサが設けられた位置の周囲に配置されている複数の光源と、
前記複数の光源に取り囲まれた範囲に設けられ、前記人感センサの感度を調整する調整スイッチと、
前記複数の光源を覆うカバーと
を備え、
前記カバーは、
前記人感センサと対向して設けられた第一開口部と、前記第一開口部とは異なる第二開口部であって前記調整スイッチと対向して設けられた第二開口部とを有するとともに、前記第一開口部の縁から延在し前記人感センサの側面を囲む第一隔壁と、前記第二開口部の縁から延在し前記調整スイッチの側面を囲む第二隔壁とを有することを特徴とする光源モジュール。
【請求項２】
前記調整スイッチは、前記カバーから突出していることを特徴とする請求項１に記載の光源モジュール。
【請求項３】
前記人感センサは、前記カバーから突出していることを特徴とする請求項１または２に記載の光源モジュール。
【請求項４】
前記光源は発光ダイオードであることを特徴とする請求項１〜３のいずれかに記載の光源モジュール。
【請求項５】
請求項１〜４のいずれかに記載の光源モジュールを備えたことを特徴とする照明器具。
【請求項６】
前記照明器具は、電球型であることを特徴とする請求項５に記載の照明器具。
【発明の詳細な説明】
【技術分野】
【０００１】
この発明は、ＬＥＤなどの光源を用いた光源モジュール及びそれを用いた照明器具に関する。
【背景技術】
【０００２】
人感センサなどのセンサを搭載し、センサの検出結果にしたがって光源を点灯消灯する照明器具がある。従来、このような照明器具は、センサを光源から離れた別の位置に設置したり、照明器具の枠に設置したりしている。
【先行技術文献】
【特許文献】
【０００３】
【特許文献１】特開２００５−３４６９５７号公報
【特許文献２】特開２００３−６８１３３号公報
【特許文献３】特開２００２−１５７９１６号公報
【特許文献４】特開２００４−１９３０４３号公報
【特許文献５】特開２００７−２６５８６１号公報
【発明の概要】
【発明が解決しようとする課題】
【０００４】
センサを光源から離れた別の位置に設置したり、照明器具の枠に設置したりした場合、光源が光を照射する照射範囲と、センサの検出範囲との間にズレが生じる場合がある。また、センサの取付位置によっては、光源が照射した光を遮り、３６０度均等な配光をできない場合がある。
この発明は、例えば、上記のような課題を解決するためになされたものであり、照射範囲と検出範囲とを一致させるとともに、３６０度均等な配光を実現することを目的とする。
【課題を解決するための手段】
【０００５】
この発明にかかる光源モジュールは、周囲に人がいるか否かを検出する人感センサと、前記人感センサが設けられた位置を中心に配置されている複数の光源と、前記人感センサと対向する面に設けられた開口部を有し前記光源を覆うカバーとを備えたことを特徴とする。
【発明の効果】
【０００６】
この発明にかかる光源モジュールによれば、複数の光源が、人感センサを取り囲み、所定の中心位置から略等距離の位置に略等間隔に配置されているので、人感センサの検出範囲と、複数の光源の照射範囲を合わせた全体の照射範囲とを一致させることができ、全体として、３６０度均等な配光を実現することができる。
【図面の簡単な説明】
【０００７】
【図１】実施の形態１における照明器具８００の外観を示す斜視図。
【図２】実施の形態１における照明器具８００の構造を示す側面視破断図。
【図３】実施の形態１におけるＬＥＤモジュール１００を示す分解正視図。
【図４】実施の形態１におけるＬＥＤモジュール１００の変形例を示す図。
【図５】実施の形態２におけるＬＥＤモジュール１００を示す斜視図及び分解正視図。
【図６】実施の形態３におけるＬＥＤモジュール１００を示す斜視図及び分解正視図。
【図７】実施の形態３におけるＬＥＤモジュール１００の変形例を示す斜視図及び分解正視図。
【図８】実施の形態４におけるＬＥＤモジュール１００を示す斜視図及び分解正視図。
【図９】実施の形態５におけるＬＥＤモジュール１００を示す斜視図及び分解正視図。
【図１０】実施の形態５におけるＬＥＤモジュール１００の変形例を示す斜視図及び分解正視図。
【図１１】実施の形態６における照明器具８５０の概観を示す斜視図。
【図１２】実施の形態６における照明器具８５０の使用態様を示す側面図。
【図１３】実施の形態７における透光性カバーの形状の例を示す正視図。
【図１４】実施の形態７における透光性カバーの形状の変形例を示す正視図。
【発明を実施するための形態】
【０００８】
実施の形態１．
実施の形態１について、図１〜図４を用いて説明する。
【０００９】
図１は、この実施の形態における照明器具８００の外観を示す斜視図である。
図２は、この実施の形態における照明器具８００の構造を示す側面視破断図である。
【００１０】
照明器具８００は、天井などに埋め込んで使用するダウンライト照明である。照明器具８００は、器具本体８１０、枠８２０、取付ばね８３０、電源端子台８４０、ＬＥＤモジュール１００、点灯装置２００を有する。
器具本体８１０（ケース）は、照明器具８００の本体であり、点灯装置２００を内蔵する。
枠８２０は、天井などから下へ露出する部分であり、照明器具８００を埋め込むために天井などに設けた穴を隠す。
取付ばね８３０は、板ばねなどであり、照明器具８００が取り付けられた穴から落ちないようにする。
電源端子台８４０は、商用電源などの交流電源に接続し、交流電源から電力を入力して、点灯装置２００に供給する。
点灯装置２００は、電源端子台８４０が入力した電力により、ＬＥＤモジュール１００が内蔵するＬＥＤ１３０を点灯する電圧を生成する。
【００１１】
ＬＥＤモジュール１００（光源モジュール）は、透光性カバー１１０、基板１２０、ＬＥＤ１３０、センサ１４０を有する。
透光性カバー１１０は、ＬＥＤモジュール１００内の基板１２０やＬＥＤ１３０を覆うカバーである。透光性カバー１１０は、透明または白濁半透明であり、ＬＥＤ１３０が発した光を通す。透光性カバー１１０は、例えば、アクリル、ポリカーボネート、ナイロン樹脂などにより構成されている。
基板１２０は、アルミ、ガラスエポキシ、紙フェノールなどで構成された円板状のプリント配線板であり、点灯装置２００が生成した電圧をＬＥＤ１３０に印加する回路が実装されている。
ＬＥＤ１３０（光源）は、基板１２０上に実装された発光ダイオードであり、点灯装置２００が生成した電圧を印加されることにより、発光する。
センサ１４０は、例えば、焦電型センサ、照度センサ、電波センサなどであり、周囲の状態を検出する。センサ１４０が検出した検出結果は、信号として点灯装置２００に入力される。点灯装置２００は、制御部（図示せず）を有し、制御部は、センサ１４０が検出した検出結果に基づいて、ＬＥＤ１３０の点灯状態を決定し、決定した点灯状態に基づいて、点灯装置２００は、センサ１４０を点灯する。
例えば、センサ１４０が焦電型センサ（人感センサ）の場合、センサ１４０が周囲に人がいるか否かを検出し、点灯装置２００は、制御部の決定に基づいて、周囲に人がいるときＬＥＤ１３０を点灯し、周囲に人がいないときＬＥＤ１３０を消灯する。あるいは、センサ１４０が照度センサの場合、センサ１４０が周囲の明るさを検出し、点灯装置２００は、周囲が暗いときＬＥＤ１３０を点灯し、周囲が明るいときＬＥＤ１３０を消灯する。
【００１２】
図３は、この実施の形態におけるＬＥＤモジュール１００を示す分解正視図である。
透光性カバー１１０は、一方の底面がない中空円柱状であり、底面部１１１、開口部１１２、側面部１１３、爪部１１４を有する。
底面部１１１は、透光性カバー１１０の底面にあたる円板状の部分であり、中央に開口部１１２がある。
開口部１１２は、センサ１４０を透光性カバー１１０の外へ出すための円形の貫通穴である。
側面部１１３は、透光性カバー１１０の側面にあたる円筒板状の部分であり、内側に爪部１１４がある。
爪部１１４は、側面部１１３の上端（底面部１１１と反対側の端）に位置し、ＬＥＤモジュール１００を組み立てた際、基板１２０に引掛かり、透光性カバー１１０と基板１２０とを係止する。
【００１３】
基板１２０は、円板状であり、一方の面に、センサ１４０と、四つのＬＥＤ１３０とが実装されている。なお、基板１２０は、円板状でなくてもよく、例えば、正方形状あるいは長方形状であってもよいし、他の形状であってもよい。
センサ１４０は、基板１２０のほぼ中心（所定の中心位置）に位置し、受光部１４１、つば部１４２、爪部１４３を有する。受光部１４１は、赤外線、可視光線、電波などを受光する部分である。つば部１４２は、透光性カバー１１０とセンサ１４０との間の隙間を塞ぎ、ＬＥＤ１３０が発した光が隙間から直接漏れるのを防ぐ。なお、透光性カバー１１０が無色透明である場合、つば部１４２はなくてもよい。爪部１４３は、基板１２０に設けられた穴に通して、センサ１４０を基板１２０に固定するための爪である。
四つのＬＥＤ１３０は、表面実装型パッケージの発光ダイオードであり、基板１２０の中心からほぼ等距離（ｒ３）の位置に配置されている。また、四つのＬＥＤ１３０は、基板１２０の中心からそれぞれ約９０度ずつ離れた位置に、ほぼ等間隔に配置されている。すなわち、四つのＬＥＤ１３０は、基板１２０の中心を中心とする半径ｒ３の円周上に概ね位置し、略円を描くように基板１２０上に配置されている。
【００１４】
この実施の形態におけるＬＥＤモジュール１００によれば、複数のＬＥＤ１３０（光源）が、所定の中心位置から略等距離の位置に略等間隔に配置されているので、３６０度均等に配光することができる。センサ１４０（人感センサ）が、ＬＥＤ１３０に取り囲まれた位置に配置されているので、ＬＥＤ１３０が発する光をセンサ１４０が遮ることなく、３６０度均等に配光することができる。センサ１４０（人感センサ）が、所定の中心位置に配置されているので、ＬＥＤ１３０が発する光の照射範囲と、センサ１４０の検知範囲とを一致させることができる。ＬＥＤ１３０を光源としているので、消費電力を抑えることができるとともに、寿命が長くなる（例えば４万時間）。光を透過する透光性カバー１１０が、複数のＬＥＤ１３０を覆うので、ＬＥＤモジュール１００の部品数を削減できる。センサ１４０とＬＥＤ１３０とを一体化しているので、構造が単純になり、照明器具８００をコンパクトにすることができる。
また、この実施の形態における照明器具８００によれば、センサ１４０が検出した検出結果に基づいて、制御部がセンサ１４０の点灯状態を決定し、決定した点灯状態に基づいて、点灯装置２００がＬＥＤ１３０を点灯するので、無駄な点灯を減らし、省エネを図ることができる。
【００１５】
図４は、この実施の形態におけるＬＥＤモジュール１００の変形例を示す図である。
ＬＥＤ１３０の数は、４つに限らず、２つでも３つでもよいし、もっと多くてもよい。
この場合も、複数のＬＥＤ１３０は、基板１２０の中心からほぼ等距離の位置に、ほぼ等間隔に配置する。例えば、ＬＥＤ１３０が２つの場合なら、基板１２０の中心から約１８０度ずつ離れた位置にＬＥＤ１３０を配置する。ＬＥＤ１３０が３つの場合なら、基板１２０の中心から約１２０度ずつ離れた位置にＬＥＤ１３０を配置する。ＬＥＤ１３０が８つの場合なら、基板１２０の中心から約４５度ずつ離れた位置にＬＥＤ１３０を配置する。これにより、３６０度均等に配光することができる。
【００１６】
実施の形態２．
実施の形態２について、図５を用いて説明する。
なお、実施の形態１で説明した照明器具８００と共通する部分については、同一の符号を付し、説明を省略する。
【００１７】
図５は、この実施の形態におけるＬＥＤモジュール１００を示す斜視図及び分解正視図である。
透光性カバー１１０は、ナイロン樹脂などにより構成され、底面部１１１に開口部１１２がなく、複数のＬＥＤ１３０及びセンサ１４０全体を覆う。
センサ１４０は、実施の形態１のセンサ１４０と比較して、高さが低く、透光性カバー１１０の中に納まり、つば部１４２がない。
【００１８】
このように、高さの低いセンサ１４０を用いることにより、透光性カバー１１０に開口部１１２を設ける必要がなく、また、開口部１１２からの光漏れの可能性がないので、センサ１４０につば部１４２を設ける必要もない。このため、ＬＥＤモジュール１００の製造コストを削減できる。センサ１４０が透光性カバー１１０に覆われているので、センサ１４０として、パッケージ化されたものではなく、センサ素子単体を用いることができ、ＬＥＤモジュール１００の製造コストを削減できる。
透光性カバー１１０が白濁半透明の場合、センサ１４０が受光する赤外線・可視光線・電波は、透光性カバー１１０により拡散される。このため、センサ１４０の検出範囲を広くすることができる。
また、透光性カバー１１０の底面部１１１中央を、レンズ状に加工すれば、センサ１４０の検出範囲を調整することも可能である。
【００１９】
なお、センサ１４０が焦電型センサなど赤外線を検出するセンサであり、透光性カバー１１０が赤外線を反射もしくは吸収する素材により構成されている場合は、センサ１４０の感度低下を防ぐため、実施の形態１のように、受光部１４１を透光性カバー１１０の外に出す構成のほうが好ましい。
【００２０】
実施の形態３．
実施の形態３について、図６及び図７を用いて説明する。
なお、実施の形態１で説明した照明器具８００と共通する部分については、同一の符号を付し、説明を省略する。
【００２１】
図６は、この実施の形態におけるＬＥＤモジュール１００を示す斜視図及び分解正視図である。
透光性カバー１１０は、隔壁１１５を有する。隔壁１１５は、開口部１１２の周囲を囲う円筒側面状であり、上端が基板１２０の表面に届く程度であり、センサ１４０と透光性カバー１１０との間の隙間を塞ぐ。
これにより、センサ１４０につば部１４２がなくても、ＬＥＤ１３０が発した光が開口部１１２から直接漏れるのを防ぐことができる。
【００２２】
図７は、この実施の形態におけるＬＥＤモジュール１００の変形例を示す斜視図及び分解正視図である。
センサ１４０は、透光性カバー１１０よりも突出している必要はなく、底面部１１１と面一または底面部１１１よりも窪んでいてもよい。
【００２３】
このように、つば部１４２に代えて、隔壁１１５が、開口部１１２の周囲を囲うことにより、ＬＥＤ１３０が発した光が開口部１１２から漏れるのを防ぐことができる。
なお、センサ１４０が照度センサなど可視光線を受光するセンサである場合、ＬＥＤ１３０が発した光にセンサ１４０が反応するのを防ぐため、隔壁１１５を、黒などに着色された樹脂など、光を遮断する素材により構成することが好ましい。
【００２４】
実施の形態４．
実施の形態４について、図８を用いて説明する。
なお、実施の形態３で説明した照明器具８００と共通する部分については、同一の符号を付し、説明を省略する。
【００２５】
図８は、この実施の形態におけるＬＥＤモジュール１００を示す斜視図及び分解正視図である。
ＬＥＤモジュール１００は、更に、センサ１５０を有する。センサ１５０は、センサ１４０とは種類が異なるセンサである。例えば、センサ１４０は焦電型センサ（人感センサ）であり、センサ１５０は照度センサである。センサ１４０及びセンサ１５０は、複数のＬＥＤ１３０に取り囲まれた範囲内、基板１２０の中心付近に配置されている。
透光性カバー１１０は、二つの開口部１１２を有する。二つの開口部１１２は、それぞれ、二つのセンサ１４０，１５０に対応する位置・大きさに設けられた円形の貫通穴である。それぞれの開口部１１２の周囲には、隔壁１１６がある。隔壁１１６は、開口部１１２の周囲を囲う円筒側面状である。この例において、隔壁１１６は、実施の形態３で説明した隔壁１１５と異なり、基板１２０の表面までは届かないが、実施の形態３で説明した隔壁１１５と同様、基板１２０の表面まで届くものであってもよい。
【００２６】
センサ１４０が人感センサであり、センサ１５０が照度センサである場合を例にとり、制御部がＬＥＤ１３０の点灯状態をどのように決定するかを説明する。
制御部は、センサ１４０及びセンサ１５０が検出した検出結果に基づいて、ＬＥＤ１３０の点灯状態を決定する。
周囲の明るさが所定の照度（以下「照度閾値」と呼ぶ。）以上であると、センサ１５０が検出した場合、制御部は、ＬＥＤ１３０を消灯すると決定する。
周囲の明るさが照度閾値未満であると、センサ１５０が検出した場合、制御部は、センサ１４０の検出結果に基づいて、ＬＥＤ１３０を点灯するか消灯するかを決定する。周囲に人がいると、センサ１４０が検出した場合、制御部は、ＬＥＤ１３０を点灯すると決定する。周囲に人がいないと、センサ１４０が検出した場合、制御部は、周囲に人がいるとセンサ１４０が最後に検出してからの経過時間が所定の時間（以下「点灯保持時間」と呼ぶ。）未満であれば、ＬＥＤ１３０を点灯すると決定し、周囲に人がいるとセンサ１４０が最後に検出してからの経過時間が点灯保持時間以上であれば、ＬＥＤ１３０を消灯すると決定する。
点灯装置２００は、制御部の決定に基づいて、ＬＥＤ１３０を点灯あるいは消灯する。
【００２７】
このように、複数の種類のセンサ１４０，１５０を組み合わせることにより、ＬＥＤ１３０の点灯消灯を、より詳細に制御することができるので、無駄な点灯を減らし、照明器具８００の消費電力を抑えることができる。センサ１５０（照度センサ）が、複数のＬＥＤ１３０（光源）に取り囲まれた位置に配置されているので、ＬＥＤ１３０が発する光をセンサ１５０が遮ることなく、３６０度均等に配光することができる。
【００２８】
実施の形態５．
実施の形態５について、図９及び図１０を用いて説明する。
なお、実施の形態４で説明した照明器具８００と共通する部分については、同一の符号を付し、説明を省略する。
【００２９】
図９は、この実施の形態におけるＬＥＤモジュール１００を示す斜視図及び分解正視図である。
ＬＥＤモジュール１００は、更に、二つの調整スイッチ１６０，１７０を有する。二つの調整スイッチ１６０，１７０は、二つのセンサ１４０，１５０の感度を調整するためのスイッチであり、複数のＬＥＤ１３０に取り囲まれた範囲内、基板１２０の中心付近に配置されている。
透光性カバー１１０は、四つの開口部１１２を有する。四つの開口部１１２は、それぞれ、二つのセンサ１４０，１５０及び二つの調整スイッチ１６０，１７０に対応する位置・大きさに設けられた円形の貫通穴である。それぞれの開口部１１２の周囲には、隔壁１１６がある。
二つの調整スイッチ１６０，１７０は、開口部１１２から透光性カバー１１０の外部へ突出していて、指で摘んであるいはドライバーなどの工具を用いて、回転させることができる。
【００３０】
実施の形態４で説明した制御方式を例にとり、制御部がＬＥＤ１３０の点灯状態をどのように決定するかを説明する。
調整スイッチ１６０は、例えば、点灯照度を調整するスイッチであり、「切」「明」「暗」の三段階に切り替えることができる。調整スイッチ１６０が「切」の場合、制御部は、センサ１５０が検出した周囲の明るさとは無関係に、センサ１４０が周囲に人がいるか否かを検出した検出結果に基づいて、ＬＥＤ１３０を点灯するか消灯するかを決定する。調整スイッチ１６０が「明」の場合、制御部は、二種類の照度閾値（例えば、５０ルクスと１０ルクス）のうち大きい（明るい）ほうの照度閾値（５０ルクス）を選択し、調整スイッチ１６０が「暗」の場合、制御部は、二種類の照度閾値のうち小さい（暗い）ほうの照度閾値（１０ルクス）を選択する。制御部は、選択した照度閾値に基づいて、実施の形態４で説明した制御方式により、ＬＥＤ１３０を点灯するか消灯するかを決定する。
調整スイッチ１７０は、例えば、点灯保持時間を調整するスイッチであり、「１分」「３分」「連続」の三段階に切り替えることができる。調整スイッチ１７０が「１分」の場合、制御部は、点灯保持時間を１分に設定し、調整スイッチ１７０が「３分」の場合、制御部は、点灯保持時間を３分に設定する。制御部は、設定した点灯保持時間に基づいて、実施の形態４で説明した制御方式により、ＬＥＤ１３０を点灯するか消灯するかを決定する。調整スイッチ１７０が「連続」の場合、制御部は、点灯保持時間を無限大に設定し、設定した点灯保持時間に基づいて、実施の形態４で説明した制御方式により、ＬＥＤ１３０を点灯するか消灯するかを決定する。すなわち、センサ１５０が検出した周囲の明るさが照度閾値未満であり、かつ、周囲に人がいるとセンサ１４０が検出した場合に、制御部は、ＬＥＤ１３０を点灯すると決定し、その後、周囲に人がいないとセンサ１４０が検出しても、ＬＥＤ１３０の点灯を続ける。制御部は、センサ１５０が検出した周囲の明るさが照度閾値以上になると、ＬＥＤ１３０を消灯すると決定する。したがって、周囲が明るくなるか、照明器具８００の電源が切られるまでは、ＬＥＤ１３０の点灯を続ける。
【００３１】
このように、調整スイッチ１６０，１７０により照度閾値や点灯保持時間を調整できるようにすることにより、ＬＥＤ１３０の点灯消灯を、更に詳細に制御することができる。調整スイッチ１６０，１７０が、複数のＬＥＤ１３０（光源）に取り囲まれた位置に配置されているので、ＬＥＤ１３０が発する光を調整スイッチ１６０，１７０が遮ることなく、３６０度均等に配光することができるとともに、調整スイッチ１６０，１７０が発光面側にあるので、操作しやすく、調整を容易に行うことができる。また、照明器具８００を全体としてコンパクトにすることができる。
【００３２】
図１０は、この実施の形態におけるＬＥＤモジュール１００の変形例を示す斜視図及び分解正視図である。
調整スイッチ１６０，１７０は、高さが低く、底面部１１１よりも窪んでいる。調整スイッチ１６０，１７０は、ドライバーなどの工具を開口部１１２から差し込むことにより、回転させることができる。
照明器具８００を壁面に設置する場合などは、誤って調整スイッチ１６０，１７０に触れるなどして誤動作するのを防ぐため、このように、調整スイッチ１６０，１７０が底面部１１１よりも窪んでいるほうが好ましい。
【００３３】
実施の形態６．
実施の形態６について、図１１及び図１２を用いて説明する。
なお、実施の形態１で説明した照明器具８００と共通する部分については、同一の符号を付し、説明を省略する。
【００３４】
図１１は、この実施の形態における照明器具８５０の概観を示す斜視図である。
図１２は、この実施の形態における照明器具８５０の使用態様を示す側面図である。
【００３５】
照明器具８５０は、電球型の照明器具であり、電球用のランプソケット３１０を有する既存の照明器具３００に接続して使用する。照明器具８５０は、器具本体８６０、調整スイッチ８７０、口金部８８０、ＬＥＤモジュール１００を有する。
器具本体８６０は、照明器具８５０の本体であり、点灯装置２００（図示せず）を内蔵する。器具本体８６０は、アルミなど熱伝導率が高い材料で形成されている。調整スイッチ８７０は、実施の形態５で説明した調整スイッチ１６０，１７０と同様、センサ１４０，１５０などの感度を調整するためのスイッチであり、器具本体８６０の側面に位置する。口金部８８０は、既存の電球の口金とほぼ同一の形状であり、既存の電球を接続可能なランプソケットに接続することにより、商用電源などの交流電源から電力を入力する。
既存の電球用照明器具３００は、ランプソケット３１０、反射板３２０、枠３３０、取付ばね３４０、電源端子台３５０を有する。ランプソケット３１０は、既存の電球の口金を接続することができるソケットであり、接続した電球（または照明器具８５０）に商用電源などの交流電源からの電力を供給する。反射板３２０は、ランプソケット３１０に接続した電球が発した光を反射して、所定の配光を得るため、表面を鏡面にしたほぼ円錐台側面状の板である。枠３３０は、天井などから下へ露出する部分であり、照明器具３００を埋め込むために天井などに設けた穴を隠す。取付ばね３４０は、板ばねなどであり、照明器具３００が取り付けられた穴から落ちないようにする。電源端子台３５０は、商用電源などの交流電源に接続し、交流電源から電力を入力して、ランプソケット３１０に供給する。
【００３６】
このように、口金部８８０が、電球用のランプソケット３１０に接続可能であり、交流電圧を入力するので、既存の電球用照明器具３００を交換することなく、照明器具８５０を容易に取り付け、点灯することができる。これにより、既設の照明器具３００をそのまま利用できるので、廃棄物を減らすことができる。
また、器具本体８６０がアルミなど熱伝導率が高い材料により構成されているので、ＬＥＤ１３０で発生した熱を効率よく放熱することができる。なお、放熱効率を更に高めるため、基板１２０の裏側と、器具本体８６０との間に、シリコンなどの電熱シートを挟み込んでもよい。
なお、器具本体８６０の側面に調整スイッチ８７０を設ける代わりに、実施の形態５と同様、発光面に調整スイッチ１６０，１７０を設けてもよい。そうすれば、調整スイッチ１６０，１７０の操作が容易になる。
これに対して、調整スイッチ８７０を器具本体８６０の側面に設ける構成の場合、照明器具８５０を照明器具３００のランプソケット３１０から取り外してから、調整スイッチ８７０を操作する必要があるが、調整スイッチの操作はそれほど頻繁に行うものではなく、照明器具８５０をランプソケット３１０へ取り付けたり取り外したりが容易なので、調整スイッチ８７０を器具本体８６０の側面に設ける構成のほうが、発光面がすっきりし、意匠性に優れ、好ましい。
【００３７】
実施の形態７．
実施の形態７について、図１３及び図１４を用いて説明する。
なお、実施の形態６で説明した照明器具８５０と共通する部分については、同一の符号を付し、説明を省略する。
【００３８】
図１３は、この実施の形態における透光性カバーの形状の例を示す正視図である。
透光性カバー１１０ａは、側面部１１３に引掛かり部１８０を有する。引掛かり部１８０は、ほぼ三角柱状であり、複数の引掛かり部１８０が、側面部１１３を隙間なく埋め尽くしている。引掛かり部１８０がなす三角柱の高さ方向は、透光性カバー１１０がなす円柱の高さ方向と等しく、引掛かり部１８０の上端は、側面部１１３の上端と一致している。引掛かり部１８０の下端は、側面部１１３の下端よりも上にあり、引掛かり部１８０の下底面は、テーパーを有する。引掛かり部１８０は、指を引掛けることが可能であり、引掛かり部１８０に指を掛けて回すことにより、照明器具８５０全体を回転させることができ、照明器具８５０を照明器具３００のランプソケット３１０に取り付け取り外す操作が容易になる。
【００３９】
透光性カバー１１０ｂは、引掛かり部１８０が側面部１１３を埋め尽くさず、隙間が開いている点が透光性カバー１１０ａと異なる。また、側面部１１３の上端面にもテーパーがある点も異なる。
透光性カバー１１０ｃは、引掛かり部１８０がほぼ直方体状である点が異なる。また、引掛かり部１８０の上端が、側面部１１３の上端と一致せず、側面部１１３の上端よりも下にある点も異なる。
【００４０】
図１４は、この実施の形態における透光性カバーの形状の変形例を示す正視図である。
透光性カバー１１０ｄは、引掛かり部１８０がほぼ半球体状であり、複数の引掛かり部１８０の高さ方向の位置が同じではない。
透光性カバー１１０ｅは、引掛かり部１８０が、４つしかなく、互いに９０度ずつ離れている。
透光性カバー１１０ｆは、引掛かり部１８０が、側面部１１３ではなく底面部１１１にある。
【００４１】
このように、引掛かり部１８０は、指を引掛けて照明器具８５０全体を回転させることができるものであれば、形状・位置・数などは任意でよい。ここでは、引掛かり部１８０が突起である場合について説明したが、引掛かり部１８０は、溝あるいは窪みなどであってもよいし、凹凸であってもよい。なお、引掛かり部１８０の数が少ないよりも多いほうが取付性がよく、また、引掛かり部１８０が底面部１１１にあるよりも側面部１１３にあるほうが取付性がよくなるので、好ましい。
【符号の説明】
【００４２】
１００  ＬＥＤモジュール、１１０  透光性カバー、１１１  底面部、１１２  開口部、１１３  側面部、１１４  爪部、１１５，１１６  隔壁、１２０  基板、１３０  ＬＥＤ、１４０，１５０  センサ、１４１  受光部、１４２  つば部、１４３  爪部、１６０，１７０，８７０  調整スイッチ、１８０  引掛かり部、２００  点灯装置、３００，８００，８５０  照明器具、３１０  ランプソケット、３２０  反射板、８１０，８６０  器具本体、３３０，８２０  枠、３４０，８３０  取付ばね、３５０，８４０  電源端子台、８８０  口金部。
【図１】
0005404885.tif 000002
【図２】
0005404885.tif 000003
【図３】
0005404885.tif 000004
【図４】
0005404885.tif 000005
【図５】
0005404885.tif 000006
【図６】
0005404885.tif 000007
【図７】
0005404885.tif 000008
【図８】
0005404885.tif 000009
【図９】
0005404885.tif 000010
【図１０】
0005404885.tif 000011
【図１１】
0005404885.tif 000012
【図１２】
0005404885.tif 000013
【図１３】
0005404885.tif 000014
【図１４】
0005404885.tif 000015